(57)【特許請求の範囲】
【請求項１】
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記操作部には前記表示部の画面に重ね合わされたタッチパネル式の操作部（４１）が含まれており、
前記制御部は、
前記測定部が試験対象の移動体端末に対して実行可能な複数の測定項目にそれぞれ割当てられた複数のタッチ操作領域を前記タッチパネル式の操作部に設定し、該複数のタッチ操作領域の各区画および該区画毎の測定項目名を前記表示部に表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画に、該測定項目の測定結果の概略を表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）とを備えていることを特徴する移動体端末試験装置。
【請求項２】
前記測定項目一覧表示手段は、移動体端末の送信信号の品質に関する測定項目についての一覧を表示する第１のモードと、移動体端末との間で授受されるメッセージに関する測定項目についての一覧を表示する第２のモードとを有し、
前記測定結果概略表示手段および前記測定結果詳細表示手段は、前記第１のモードと第２のモードで一覧表示される測定項目のいずれに対しても、概略の測定結果および詳細な測定結果を表示するように構成されていることを特徴とする請求項１記載の移動体端末試験装置。
【発明の詳細な説明】
【技術分野】
【０００１】
本発明は、携帯電話やスマートフォン等の移動体端末の試験を行なう試験装置に関し、特に、表示器の画面上に透明な操作パネルが重ね合わせられ、操作者が画面上に表示されているボタンや文字等に触れることで装置の操作が可能となる所謂タッチパネル式の操作部を用いた場合に、試験対象の移動体端末に対して指定可能な測定項目の一覧と、その中から操作者が指定した測定項目とが直感的に把握できて、操作の容易性を向上させるための技術に関する。
【背景技術】
【０００２】
移動体端末は、年々、高速化、高機能化しており、その端末の試験を行なうための測定項目が非常に多くなっている。
【０００３】
例えば、ＬＴＥ方式の端末から送信された信号に対する測定項目には、占有帯域幅（Occupied Bandwidth）、スペクトラム放射マスク（Spectrum Emission Mask）、隣接チャネル漏洩電力（Adjacent Cannel Power）、帯域内放射（In-Band Emission）、スペクトラム平坦度（Spectrum Flatness）、変調のエラーベクトル振幅（Error vector Magnitude）、変調の位相誤差（Phase Error）、変調の振幅誤差（Magnitude Error）、シンボル点位置（Constellation）等がある。また、端末との間で授受されるメッセージが正しく行なわれているかを測定する測定項目（一般にシグナリングテストと呼ばれる）もある。
【０００４】
測定項目には上記ＬＴＥ方式以外についてもその方式特有の測定項目があり、各測定項目についてのパラメータの設定も必要であり、これら非常に多岐にわたる設定操作を、面積が限られた操作パネルに設けたツマミや押しボタンなどによって行なうことは非常に困難になっている。
【０００５】
これを解決する技術として、表示部と操作部が一体化したタッチパネルを採用した測定器や通信機器が実現されており（例えば特許文献１）、パラメータ設定処理として、例えば特許文献２のように、その表示面に、設定したい設定項目の一覧を縦一列に表示し、各設定項目の横隣にパラメータの設定を行なうために操作するマーク等を表示し、使用者が所望の設定項目の横に表示されたマークをタッチすることで、その項目についてのパラメータ設定が行なえるようにしたものが実用化されている。
【先行技術文献】
【特許文献】
【０００６】
【特許文献１】特開平３−２９１５２４号公報
【特許文献２】特開２０１４−７２８３８号公報
【発明の概要】
【発明が解決しようとする課題】
【０００７】
このようなタッチパネルを用いた設定方法で、上記のような測定項目の指定を行なう場合、指定可能な測定項目の名前の一覧を表示させ、その表示された測定項目名のうち所望の測定項目をタッチ操作することが一般的に考えられる。
【０００８】
この場合、測定項目名の隣などにその項目を指定したあるいは指定していないことを区別するために、例えば「ＯＮ」、「ＯＦＦ」の文字等を表示する方法が考えられるが、このような文字による識別方法では、多数ある測定項目のうち、現在どういう測定項目が指定されているのかを全体的に把握するが困難である。
【０００９】
また、従来装置では、各測定項目についての測定結果をそれぞれ単独に表示部に表示する機能は有していたが、多数の測定項目についての測定結果全体を一画面に表示する機能を有しておらず、現在指定されている測定項目についての測定結果全体の把握が困難であった。
【００１０】
本発明は、この問題を解決し、端末に対して行なう多数の測定項目のうち、どの測定項目が指定されていて、それら指定された全体の測定結果がどのように得られているかを一画面上で把握できる移動体端末試験装置を提供することを目的としている。
【課題を解決するための手段】
【００１１】
前記目的を達成するために、本発明の請求項１の移動体端末試験装置は、
試験対象の移動体端末との間で信号の授受を行ない、指定された測定項目に関する測定を実行する測定部（２１）と、
表示部（３０）と、
前記測定部が実行する測定項目を指定させるための操作部（４０）と、
前記操作部によって指定された測定項目を前記測定部に指定し、該指定された測定項目について得られた測定結果を前記表示部に表示する制御部（５０）とを備えた移動体端末試験装置において、
前記操作部には前記表示部の画面に重ね合わされたタッチパネル式の操作部（４１）が含まれており、
前記制御部は、
前記測定部が試験対象の移動体端末に対して実行可能な複数の測定項目にそれぞれ割当てられた複数のタッチ操作領域を前記タッチパネル式の操作部に設定し、該複数のタッチ操作領域の各区画および該区画毎の測定項目名を前記表示部に表示する測定項目一覧表示手段（５１）と、
前記測定項目一覧表示手段によって表示された測定項目名が表示された測定項目についてその実行を有効にするか無効にするかを指定するための有効無効指定手段（５２）と、
前記有効無効指定手段によって無効指定された測定項目に対応するタッチ操作エリアの区画内に該測定項目を無効指定状態から有効指定状態に切り替えるための切替ボタンを表示することで、該測定項目が無効指定されていることを知らせる切替ボタン表示手段（５３）と、
前記有効無効指定手段によって有効指定された測定項目に対応するタッチ操作エリア、および、前記切替ボタン表示手段によって表示されている切替ボタンに対するタッチ操作がなされて無効指定状態から有効指定状態に変更された測定項目に対応するタッチ操作エリアの区画に、該測定項目の測定結果の概略を表示することで、該測定項目が有効指定されていることを知らせる測定結果概略表示手段（５４）と、
前記測定結果概略表示手段によって測定結果の概略が表示されているタッチ操作エリアがタッチ操作されたとき、測定結果の詳細を前記測定項目一覧表示手段による表示に代わって表示する測定結果詳細表示手段（５５）とを備えている。
【００１２】
また、本発明の請求項２の移動体端末試験装置は、請求項１記載の移動体端末試験装置において、
前記測定項目一覧表示手段は、移動体端末の送信信号の品質に関する測定項目についての一覧を表示する第１のモードと、移動体端末との間で授受されるメッセージに関する測定項目についての一覧を表示する第２のモードとを有し、
前記測定結果概略表示手段および前記測定結果詳細表示手段は、前記第１のモードと第２のモードで一覧表示される測定項目のいずれに対しても、概略の測定結果および詳細な測定結果を表示するように構成されている。
【発明の効果】
【００１３】
このように構成したので、本発明の移動体端末試験装置では、試験対象の移動体端末に対して実行可能な複数の測定項目にそれぞれ割当てられた複数のタッチ操作領域がタッチパネル式の操作部に設定され、それら複数のタッチ操作領域の各区画およびその区画毎の測定項目名が表示部の画面上に表示されて測定項目が一覧表示される。そして、それら測定項目のうち、無効指定された測定項目については、それを有効指定状態に切り替えるための切替ボタンが表示されて無効指定状態であることを操作者に認識させ、有効指定された測定項目についてはその測定結果の概略を表示して、有効指定状態であることを操作者に認識させる。また、測定結果の概略が表示されている区画にタッチ操作すればその測定結果の詳細な表示がなされる。
【００１４】
したがって、端末に対して行なう多数の測定項目のうち、どの測定項目が指定されていて、それら指定された全体の測定結果がどのように得られているかを一画面上で直感的に把握することができる。
【００１５】
また、移動体端末の送信信号の品質に関する測定項目だけでなく、移動体端末との間で授受されるメッセージに関する測定項目についても、概略の測定結果の一覧のいずれかをタッチ操作することで詳細な測定結果の表示が行なえる利便性を有している。
【図面の簡単な説明】
【００１６】
【図１】本発明の実施形態の構成図
【図２】実施形態の要部の機能ブロック図
【図３】測定項目一覧の初期画面の例を示す図
【図４】所望の測定項目を有効指定したときの画面の例を示す図
【図５】有効指定した測定項目についての測定結果の概略をタッチ操作したときに表示される詳細な測定結果の例を示す図
【図６】詳細な測定結果の画面でボタン３Ｄをタッチ操作したときに表示される３次元測定結果の例を示す図
【図７】移動体端末との間で授受されるメッセージに関する測定項目の一覧の表示例を示す図
【図８】メッセージに関する測定項目の一つの詳細な測定結果の例を示す図
【発明を実施するための形態】
【００１７】
以下、図面に基づいて本発明の実施の形態を説明する。
図１は、本発明を適用した移動体端末試験装置２０の構成を示している。
【００１８】
この移動体端末試験装置２０は、測定部２１、表示部３０、操作部４０および制御部５０によって構成されている。
【００１９】
測定部２１は、移動体端末１との間で基地局を模した通信を行う疑似基地局装置の機能を有するものであり、データ生成部２２、送信部２３、カプラ２４、受信部２５、データ解析部２６によって構成されている。
【００２０】
データ生成部２２は、移動体端末１との間のリンク接続（呼接続）および試験に必要な各種メッセージを含むベースバンド信号をデータ生成部２２で生成して送信部２３に与える。送信部２３は、入力されたベースバンド信号を予め指定された変調形式による変調処理を行い、その変調処理された信号を、移動体端末１との通信を行なう周波数帯へ変換処理してカプラ２４を介して移動体端末１に与える。
【００２１】
また、受信部２５は、移動体端末１から送信された信号を、カプラ２５を介して受け、送信部２３と逆の周波数変換処理とベースバンドへの復調処理を行い、得られたベースバンド信号をデータ解析部２６に与える。
【００２２】
データ解析部２６は、得られたベースバンド信号に対して予め指定された測定項目に関する解析処理を行なう。
【００２３】
例えば、通信方式がＬＴＥの場合で、指定された測定項目が占有帯域幅（Occupied Bandwidth）であれば、得られたベースバンド信号に対するスペクトラム解析処理（高速フーリエ変換処理）を行い、そのスペクトラム波形を求め、占有帯域幅の値を求める。
【００２４】
また、指定された測定項目が、スペクトラム放射マスク（Spectrum Emission Mask）の場合、前記同様にスペクトラム解析を行い、そのスペクトラム波形を求め、所定のスペクトラムマスクの範囲にあるか否かを判定する。
【００２５】
また、指定された測定項目が隣接チャネル漏洩電力（Adjacent Cannel Power）の場合には、スペクトラム解析を隣接チャネルまで拡げて行い、そのスペクトラム波形を求め、隣接チャネルへの漏洩電力の値を求める。
【００２６】
さらに、指定された測定項目が帯域内放射（In-Band Emission）の場合、前記同様にスペクトラムを求め、その帯域内の総電力の値を求める。
【００２７】
また、指定された測定項目がスペクトラム平坦度（Spectrum Flatness）の場合、前記同様にスペクトラム波形を求め、帯域内におけるスペクトラムの平坦度の値を求める。
【００２８】
また、変調品質に関する測定項目として、エラーベクトル振幅（Error vector Magnitude）、位相誤差（Phase Error）、振幅誤差（Magnitude Error）、シンボル点位置（Constellation）が指定されている場合には、変調方式に基づいて得られる基準シンボル点に対するベクトル振幅の誤差、位相誤差、振幅誤差を求める。
【００２９】
また、上記したような測定対象の移動体端末１の送信信号の品質に関する測定項目の他に、シグナリングテストが指定されたとき、移動体端末１との間で授受される各種メッセージを記憶する。
【００３０】
制御部５０は、測定部２１が移動体端末１に対して行なう測定項目を操作部４０の操作にしたがって指定し、測定部２１で得られた測定結果を表示部３０に表示させる。
【００３１】
表示部３０は例えば所定の画素数を有する液晶型表示パネルによって構成され、操作部４０は、表示部３０の画面に重なり合うタッチパネル式の第１操作部４１と、数値入力用のテンキーや数値可変用のロータリーエンコーダ等を含み、キーの押し込み操作やノブの回転操作等の機械的な操作が必要な第２操作部４２とによって構成されている。
【００３２】
第１操作部４１は、人の指等の接触を検知（静電方式あるいは圧電方式のいずれでもよい）するための透明電極（図示せず）が微細なピッチで配列されており、タッチされた位置を特定する情報（タッチ位置情報）を制御部５０に出力する。制御部５０は、タッチ位置情報が、予め設定したタッチ操作領域のいずれに属するかを判定して、そのタッチ操作領域に割当てた項目について必要な処理を行なう。
【００３３】
なお、ここでは機械的操作が必要な第２操作部４２にテンキーやロータリーエンコーダ等を含めているが、テンキーやロータリーエンコーダの画像を表示部３０の画面に表示し、それらに対応する第１操作部４１の位置にタッチ操作領域を設定して、タッチ操作させることで、数値入力や数値変更を行なうこともできる。
【００３４】
制御部５０は、移動体端末１に対して行なう試験について必要な各種のパラメータの設定や測定項目の指定等を、操作部４０に対する操作にしたがって行うとともに、測定部２１で得られた測定結果の表示に関する制御を行なう。
【００３５】
制御部５０の処理は多岐に渡っているが、ここでは測定項目の指定や測定結果の表示に関する処理についてのみ説明する。図２に測定項目の指定および測定結果の表示に関する処理を行なう機能ブロック構成を示す。
【００３６】
図２において、測定項目一覧表示手段５１は、測定部２１が試験対象の移動体端末１に対して実行可能な複数の測定項目にそれぞれ割当てられた複数のタッチ操作領域をタッチパネル式の第１操作部４１に設定するとともに、それら複数のタッチ操作領域の各区画およびそれら区画毎の測定項目名を表示部３０の画面に表示する。
【００３７】
図３は、その一例を示すものであり、第１操作部４１に、縦横に１０のタッチ操作エリアＥ(1,1) 〜Ｅ(3,4) を設定し、表示部３０に、それら各操作エリアの区画を示す枠Ｗ(1,1) 〜Ｗ(3,4) を表示し、各枠の上縁に項目名Ｋ(1,1) 〜Ｋ(3,4) を表示している（このように決められた領域を縦横に分けして表示する方式をタイル表示と呼んでいる）。
【００３８】
なお、ＬＴＥ方式の移動体端末の送信信号の品質に関する測定項目名を具体的に挙げれば、項目名Ｋ(1,1) は各測定項目についての数値結果を示す「Numeric」、項目名Ｋ(1,2) は占有帯域幅を示す「OBW」、項目名Ｋ(1,3) はスペクトラム放射マスクを示す「Spectrum Emission Mask）、項目名Ｋ(2,1) は隣接チャネル漏洩電力を示す「ACLR」、項目名Ｋ(2,2) は帯域内放射を示す「In-Band Emission」、項目名Ｋ(2,3) はスペクトラム平坦度を示す「Spectrum Flatness」、項目名Ｋ(3,1) は変調品質に関する測定項目のエラーベクトル振幅を示す「EVM」、項目名Ｋ(3,2) は位相誤差を示す「Phase Error」、項目名Ｋ(3,3) は振幅誤差を示す「Magnitude Error」、項目名Ｋ(3,4) はシンボル点位置を示す「Constellation」が表示される。
【００３９】
有効無効指定手段５２は、測定項目一覧表示手段５１によって測定項目名が表示された測定項目についてその実行を有効にするか無効にするかを指定させるためのものであり、図３では、項目一覧の左に、測定項目名と有効、無効を示す「ＯＮ」、「ＯＦＦ」を縦方向に並べて表示し、「ＯＮ」、「ＯＦＦ」の表示範囲をそれぞれタッチ操作エリア（図示せず）に設定する。
【００４０】
切替ボタン表示手段５３は、有効無効指定手段５２によって無効指定された測定項目に対応するタッチ操作エリアの区画内に測定項目を無効指定状態から有効指定状態に切り替えるための切替ボタンを表示することで、該測定項目が無効指定されていることを知らせる。
【００４１】
図３の例は、すべての測定項目が無効指定されている状態（初期状態）を表すものであり、各測定項目のタッチ操作エリアの中央に「ＯＮ」の表示がなされた切替ボタンＢ(1,1) 〜Ｂ(3,4) が表示されている。なお、この切替ボタンの表示エリアおよびタッチ操作エリアは、測定項目のタッチ操作エリア以内であればどの範囲に設定してもよく、両者を一致させてもよい。
【００４２】
測定結果概略表示手段５４は、有効無効指定手段５２によって有効指定された測定項目に対応するタッチ操作エリア、および、切替ボタン表示手段５３によって表示されている切替ボタンに対するタッチ操作がなされて無効指定状態から有効指定状態に変更された測定項目に対応するタッチ操作エリアの区画に、その測定項目の測定結果の概略を表示することで、その測定項目が有効指定されていることを知らせる。この測定結果の概略は、測定部２１で得られた情報に基づいて、各タッチ操作エリアの表示範囲に入る大きさで生成して表示する。
【００４３】
例えば、図３の状態から、項目Ｋ(1,3) を除くすべての測定項目の切替ボタンにタッチして、それらの測定項目を有効指定し、測定部２１に対して測定を指示すれば、指定された測定項目についての概略の測定結果が所定ドット数で生成されて、例えば図４のように表示される。
【００４４】
したがって、例えば図４の表示を見れば、測定項目として、項目Ｋ(1,3) を除くすべての測定項目について有効指定されていることが一目瞭然に把握できる。
【００４５】
測定結果詳細表示手段５５は、測定結果概略表示手段５４によって測定結果の概略が表示されているタッチ操作エリアのうち、操作者が任意にタッチ操作した測定項目について詳細な測定結果の表示データを生成して、測定項目の一覧表示に代わって画面の広い範囲に渡って大きく表示する。
【００４６】
例えば、図４の状態から、項目Ｋ(1,2) （「OBW」）をタッチ操作すると、図５のように、占有帯域幅について、周波数軸とレベル軸の２次元グラフと数値結果を含む詳細な測定結果の表示データが生成されて画面に大きく表示される。
【００４７】
これによって、操作者は、有効指定されている測定項目のうち、所望の測定項目についての詳細な測定結果を直ちに確認できる。
【００４８】
項目Ｋ(1,2) 以外の他の項目に関しても、その概略の測定結果が表示されている部分をタッチ操作すれば、その項目についての詳細な測定結果の表示データが生成されて、項目一覧表示画面に代わって、表示部３０の画面に大きく表示されることになる。
【００４９】
なお、ここでは、測定項目の有効無効の指定操作がなされたときに測定が済んでいる項目についての概略や詳細を表示するようにしているが、例えば図５に示すようにスタートボタンＢ(Start) をタッチ操作すると、制御部５０は、測定部２１に対し、現時点で有効指定されている測定項目についての測定を指示し、それによって得られた最新の測定結果に基づいて表示が更新されることになる。
【００５０】
また、図５に示しているように、詳細な測定結果の表示画面には、「３Ｄ」と示された３ＤボタンＢ(3D) が表示され、この３ＤボタンＢ(3D) がタッチ操作されると、図２に示した制御部５０に設けられている３次元測定結果表示手段５６により、現在表示されている測定結果の項目について、従来の周波数軸やレベル軸からなる２次元のグラフ表示に代わって、時間経過に関する軸（時間軸、測定回数軸等）を加えた３次元（３Ｄ）のグラフの表示データが生成されて、表示部３０に表示される。
【００５１】
図６は、その一例を示すものであり、図５の２次元の詳細な測定結果に代わって、測定回数軸を加えた占有帯域幅の３次元のグラフが表示され、これによって、占有帯域幅の測定項目についての時間経過に伴う特性の変化を直感的に把握することができる。３次元測定結果表示手段５６は、上記各測定項目のうち、２次元のグラフを測定結果とする測定項目、即ち、上記項目例で言えば、数値結果のＫ(1,1)とコンスタレーションのＫ(3,4)を除いて、Ｋ(1,2)、Ｋ(1,3)、Ｋ(2,1)、Ｋ(2,2)、Ｋ(2,3)、Ｋ(3,1)、Ｋ(3,2)、Ｋ(3,3)の各項目について、時間経過に関する軸を加えた３次元のグラフを生成して表示する機能を有している。
【００５２】
なお、図５、図６の右上に表示されているFundamentalボタンＢ(Fundamental)は、詳細な測定結果の表示画面から図３、図４の測定項目一覧の画面（基本画面）に戻すためのものであり、図６の状態からこのボタンがタッチ操作されると、図４の測定項目一覧の画面に戻る。
【００５３】
このように、実施形態の移動体端末試験装置２０では、複数の測定項目についての概略の測定結果が表示された領域が、その項目の詳細な測定結果を表示画面に移行させるボタンとして作用し、これらの任意のボタンをタッチ操作すれば詳細な測定結果が表示され、その詳細な測定結果の画面から３次元測定結果もワンタッチで移行でき、利便性が非常に高くなる。
【００５４】
また、上記した表示例は、移動体端末の信号品質に関する測定結果に着目したものであるが、メッセージのやりとりに関する測定モード（シグナリングテスト）が指定された場合、測定項目一覧表示手段５１は、図７に示すように、上段に二つのタッチ操作エリアＥ′(1,1)、Ｅ′(1,2)、下段に一つのタッチ操作エリアＥ′(2,1) を設定し、表示部３０に、それら各操作エリアの区画を示す枠Ｗ′(1,1) 〜Ｗ′(2,1) を表示し、各枠の上縁に項目名Ｋ′(1,1) 〜Ｋ′(2,1) を表示する。
【００５５】
この場合の項目名の具体例としては、Ｋ′(1,1)としてはメッセージのやりとりに関するシーケンス情報のチャートを表す項目名「Sequence Monitor」、Ｋ′(1,2)としては、端末からのメッセージに関する各種数値を表す項目名「UE Report」、Ｋ′(2,1)としては、試験装置と移動体端末の間で行なわれたメッセージＭとそのメッセージの内容Ｄおよび時刻Ｔからなるメッセージ情報の一部（例えば所定数の初期の情報のみ）を時系列に並べて示す項目名「Signaling Trace」である。
【００５６】
このシグナリングテストの測定項目一覧画面においても、各項目には、測定部２１で得られた測定結果に基づいて測定結果概略表示手段５４が生成した概略の表示データが表示される。そして、前記同様に有効無効指定手段５２によって無効指定された項目については、切替ボタンＢ(i,j) が表示されることになる。ただし、シグナリングテストにおいて、必須の項目に関しては、有効無効指定の対象外となり、切替ボタンは表示されない。
【００５７】
また、測定結果の概略が表示されている項目のタッチ操作エリアをタッチ操作すれば、測定結果詳細表示手段５５によってその項目についてのより詳細な測定結果が測定項目一覧画面に代わって大きく表示される。
【００５８】
ここで、例えば項目名「Signaling Trace」のタッチ操作エリアＥ′(2,1)にタッチ操作すれば、図８のように、移動体端末との間でやりとりされたメッセージの全てを時系列に並べた詳細データを生成して表示する。
【００５９】
また、項目名「Sequence Monitor」や項目名「UE Report」のタッチ操作エリアにタッチ操作した場合も、それぞれの項目についてより詳細な情報が生成されて測定項目一覧画面に代わって大きく表示される。
【００６０】
なお、移動体端末１の送信信号の品質に関する測定のモード（第１のモード）と、メッセージの授受に関する測定のモード（第２のモード）の切替えは、例えば、測定項目一覧表示の画面上にモード切替用のタブキー等を設け、それをタッチ操作させる方法が望ましいが、これに限定されず、例えば第２操作部４２を用いて切り替える方法等任意の方法で行なうことができる。
【符号の説明】
【００６１】
１……移動体端末、２０……移動体端末試験装置、２１……測定部、２２……データ生成部、２３……送信部、２５……受信部、２６……データ解析部、３０……表示部、４０……操作部、４１……第１操作部、４２……第２操作部、５０……制御部、５１……測定項目一覧表示手段、５２……有効無効指定手段、５３……切替ボタン表示手段、５４……測定結果概略表示手段、５５……測定結果詳細表示手段、５６……３次元測定結果表示手段
【図１】
0006047535.tif 000002
【図２】
0006047535.tif 000003
【図３】
0006047535.tif 000004
【図４】
0006047535.tif 000005
【図５】
0006047535.tif 000006
【図６】
0006047535.tif 000007
【図７】
0006047535.tif 000008
【図８】
0006047535.tif 000009